(57)【要約】【課題】  ゴルフで使用するパタークラブに関し、特にグリーンの傾斜やホールまでの直線性を確認できるパタークラブに関する。【解決手段】  本発明は、パタークラブ１のクラブヘッド４に水準器５を設け、パタークラブを使用する前、クラブヘッド４をグリーンに載せることにより、グリーンの傾斜を知り、更にボールの位置からホールまでの直線性をＣＣＤセンサ１２によって確認し、ホールまでのラインを知り、より少ない打数でボールをホールに入れることを可能とするパタークラブを提供するものである。【選択図】  図２
2007000559.tif 000002
【特許請求の範囲】
【請求項１】
パタークラブのクラブヘッドに設けられた水準器と、
該水準器の上面に設けられた拡大レンズと、
を有することを特徴とするパタークラブ。
【請求項２】
前記水準器は上下方向、及び左右方向の傾斜を表示する気泡を有するこ  とを特徴とする請求項１記載のパタークラブ。
【請求項３】
前記上下方向、又は左右方向の傾斜を表示する水準器を別々に設けるこ  とを特徴とする請求項１記載のパタークラブ。
【請求項４】
前記水準器は貼着手段によって前記パタークラブに取り付けられている  ことを特徴とする請求項１、２、又は３記載のパタークラブ。
【請求項５】
前記パタークラブにはＣＣＤセンサが設けられ、該ＣＣＤセンサによっ  てホールの方向を検知することを特徴とする請求項１、２、３、又は４記載のパターク  ラブ。
【請求項６】
前記ＣＣＤセンサによって検出された前記ホールの方向を延長表示する  ことを特徴とする請求項５記載のパタークラブ。
【請求項７】
前記ＣＣＤセンサはパタークラブのシャフトに設けられていることを特  徴とする請求項５、又は６記載のパタークラブ。
【請求項８】
前記ＣＣＤセンサはパタークラブのクラブヘッドに設けられていること  を特徴とする請求項５、又は６記載のパタークラブ。
【請求項９】
前記延長表示を前記水準器の上面に行うことを特徴とする請求項５、６  、７、又は８記載のパタークラブ。
【請求項１０】
前記延長表示を前記水準器の近傍に行うことを特徴とする請求項５、  ６、７、又は８記載のパタークラブ。
【発明の詳細な説明】
【技術分野】
【０００１】
本発明は、ゴルフで使用するパタークラブに関し、特にグリーンの傾斜やホールまでの直線性を確認できるパタークラブに関する。
【背景技術】
【０００２】
今日、ゴルフは若年、老年を問わず多くの人に愛されるスポーツとして普及している。このように広く普及しているゴルフで使用するクラブとして、ドライバや、アイアン、パター等が知られている。しかし、それぞれのクラブの使い方をマスターすることは長年のゴルファーの切望である。特に、グリーン上で使用するパタークラブは努力と経験を要し、グリーン上にのったボールを如何に少ない打数でホールに入れるかが勝負である。
【０００３】
このような状況において、より扱い易く、より少ない打数でボールをホールに入れるためのパタークラブが開発されている。例えば、特許文献１には慣性モーメントを考慮して作られたパタークラブが提案されている。また、特許文献２にはパタークラブのフェイス面に弾性体のフェイスインサートを装着し、距離感をつかみ易くするパタークラブが提案されている。
【０００４】
【特許文献１】特開２００５−１２４８０６号公報
【特許文献２】特開２００５−１２４７３０号公報
【発明の開示】
【発明が解決しようとする課題】
【０００５】
しかしながら、上記特許文献１の発明では、パターに改良が加えられているためボールをうまく打つことは可能になる。しかし、グリーンの傾斜やボールの位置からホールまでの直線性を確認することはできない。
また、特許文献２の発明も、ホールまでの距離感を改善することはできる。しかし、上記と同様、グリーンの傾斜やボール位置からホールまでの直線性を確認することはできない。
【０００６】
特に、グリーンの傾斜や、ボールの位置からホールまでの直線性を確認することは、パタークラブを使用する際に重要である。すなわち、打ったボールがスライスするか、フックするかを予め考慮してパタークラブを操作できるからである。
【０００７】
そこで、本発明はグリーンの傾斜を知り、ボールの位置からホールまでの直線性を確認でき、より少ない打数でボールをホールに入れることを可能とするパタークラブを提供するものである。
【課題を解決するための手段】
【０００８】
本発明は上記課題を解決するため、パタークラブのクラブヘッドに設けられた水準器と、該水準器の上面に設けられた拡大レンズとを有するパタークラブを提供することによって達成できる。
【０００９】
また、前記水準器は、例えば上下方向、及び左右方向の傾斜を表示する構成である。また、前記水準器は、例えば両面テープ等の貼着手段によってパタークラブに取り付けられている。
【００１０】
また、前記パターにはＣＣＤセンサが設けられ、該ＣＣＤセンサによってポールの方向を検出する構成である。したがって、前記ＣＣＤセンサによって検出された前記ポールの方向に基づいて、パターに該方向の延長表示を行う構成である。また、前記延長表示を前記水準器の近傍に行う構成である。
【発明の効果】
【００１１】
本発明のパタークラブによれば、グリーンの傾斜を知り、ホールまでの直線性を確認でき、より正確にボールをホールに導くことができる。
【発明を実施するための最良の形態】
【００１２】
以下、本発明の実施形態について、図面を参照して詳細に説明する。
（実施形態１）
図１は、本実施形態のパタークラブの外観図である。
同図において、パタークラブ１はグリップ２、シャフト３、クラブヘッド４で構成されている。グリップ２はプレーヤがパタークラブ１を振るための握りであり、シャフト３はパタークラブ１に所定の弾性をもたせる機能を有する。また、クラブヘッド４はホールに向けてボールを打撃し、このクラブヘッド４に本実施形態の水準器が設けられている。
【００１３】
図２はクラブヘッド４を拡大して示す図である。水準器５はクラブヘッド４の上面に設けられ、水準器５の上面には拡大レンズ６が取り付けられている。また、水準器５の内部には、アルコール、又は不燃性の特殊溶液が封入され、円形の透明プラスチック製の蓋に収納されている。尚、この蓋は中心が厚く、周辺に向かって薄く成型されたプラスチックであり、上記拡大レンズ６の機能を有する。
【００１４】
また、上記溶液内には一つの気泡８が混入され、平らな底面７を有するクラブヘッド４が傾くと、この傾きに従って気泡８が中央から移動する。すなわち、クラブヘッド４（パタークラブ１）が水平なグリーン上にあるとき、気泡８は水準器５の中央に静止する。
【００１５】
したがって、ゴルフボールを打つ前、本例のパタークラブ１をグリーン上に置くと、グリーンの傾きが分かる。すなわち、グリーンが前上がりであれば気泡８は図２に示す矢印ａ方向に動き、グリーンが前下がりであれば気泡８は矢印ｂ方向に動く。また、グリーンが左上がりであれば気泡８は矢印ｃ方向に動き、グリーンが右上がりであれば気泡８は矢印ｄ方向に動く。したがって、プレーヤはボールを打つ前、グリーンの傾斜を確認することができ、正確なパッティングを行うことができる。
【００１６】
尚、上記例では水準器５をクラブヘッド４内に設けたが、図３に示すように両面テープ等の貼着手段２０ａによって、クラブヘッド４の上面に水準器２０を貼り付ける構成としてもよい。また、図４に示すように別体の水準器２１、２２を両面テープ等の貼着手段２１ａ、２２ａによって、クラブヘッド４の上面に貼り付ける構成としてもよい。
【００１７】
（実施形態２）
次に、本発明の実施形態２について説明する。
図５は本例のパタークラブ１のクラブヘッド４の構成を示す図である。本例のクラブヘッド４にも前述と同様、水準器５が取り付けられているが、その上面は拡大レンズではなく、透明デッスプレイ１０で構成されている。この透明デッスプレイ１０には、後述するライン１１が表示される。また、クラブヘッド４の上面には、フェイス面１２に対して垂直にライン１３が形成され、フェイス面１０に対して直角方向を表示している。尚、水準器５内の構成は前述の実施形態１と同様であり、アルコール又は不燃性の特殊溶液中に、気泡８が混入され、クラブヘッド４の傾きに従って気泡８が中央から移動する構成である。
【００１８】
一方、シャフト３の下方にはＣＣＤセンサ１４がフェイス面１０と同方向に取り付けられている。このＣＣＤセンサ１４は、ホールの真ん中に立つポールの方向を検知する。
【００１９】
図６はＣＣＤセンサ１４が検知するポール（ホール）の方向とボールの位置関係を示す図である。ＣＣＤセンサ１４は前述のようにフェイス面１０と同方向に設けられ、ポール１５（ホール１６）の方向を検知する。また、クラブヘッド４には後述するＩＣチップが内蔵されている。
【００２０】
このＩＣチップは、ＣＣＤセンサ１４が検出したポール１５（ホール１６）の位置から、クラブヘッド４の位置までの直線ｆを検出する。そして、この直線ｆの延長方向を前述の水準器５の上面に取り付けられたデッスプレイ１０に表示する。
【００２１】
図７はこのデッスプレイ１０の表示状態を示す図であり、デッスプレイ１４には上記ＩＣチップで計算されたライン１１が表示される。尚、同図に示す８は前述の水準器５に封入された気泡である。デッスプレイ１０に表示されたライン１７はホール１６の方向を示すものであり、プレーヤはデッスプレイ１０に表示されたライン１１をクラブヘッド４のライン１３に一致させることにより、クラブヘッド４のフェイス面１２はホール１６に対して直角となる。
【００２２】
したがって、本例によればデッスプレイ１０に表示されたライン１１をクラブヘッド４のライン１３に一致させ、パタークラブ１を振るだけで正確にボールをホール１６に入れることができる。
【００２３】
尚、ホール１６までのグリーンがスライス、又はフックしている場合には対応する角度分ライン１１をライン１３に対してずらすことによって最適なパッティングを行うことができる。
【００２４】
また、前述の実施形態１で説明した水準器５も使用でき、気泡８の動きと共にライン１１を調整することにより、更に正確なパッティングを行うことができる。
【００２５】
尚、図８はクラブヘッド４の断面図であり、前述のＩＣチップをクラブヘッド４内の位置１８に形成した例を示す図である。ＩＣチップには、ＣＰＵやＲОＭ、ＲＡＭ等の回路が内蔵されており、ＩＣチップの配設位置をフェイス面１２から離した位置に形成することによって衝撃による影響を少なくする。
【００２６】
尚、上記実施形態１、及び２においては、グリーンの傾斜を検出する水準器を１つで構成したが、上下方向、又は左右方向の傾斜を表示する水準器を別々に設ける構成としてもよい。
【００２７】
また、上記実施形態１、及び２においては、ＣＣＤセンサをパタークラブのシャフトに設けたが、クラブヘッドの適当な位置に設ける構成としてもよい。  さらに、前記デッスプレイ１０を水準器５の上面に設けたが、水準器５の近傍に設ける構成としてもよい。
【図面の簡単な説明】
【００２８】
【図１】本実施形態のパタークラブの外観図である。
【図２】実施形態１で使用するクラブヘッドの外観図である。
【図３】両面テープ等の貼着手段によって、クラブヘッドの上面に水準器を貼り付ける構成を示す図である。
【図４】別体の水準器を両面テープ等の貼着手段によって、クラブヘッドの上面に貼り付ける構成を示す図である。
【図５】実施形態２で使用するクラブヘッドの外観図である。
【図６】ＣＣＤセンサが検知するポールの方向とボールの位置関係を示す図である。
【図７】デッスプレイの表示状態を示す図である。
【図８】クラブヘッドの断面図である。
【符号の説明】
【００２９】
１  パタークラブ
２  グリップ
３  シャフト
４  クラブヘッド
５  水準器
６  拡大レンズ
７  底面
８  気泡
１０  デッスプレイ
１１  ライン
１２  フェイス面
１３  ライン
１４  ＣＣＤセンサ
１５  ポール
１６  ホール
１８  位置
２０、２１、２２  水準器
２０ａ、２１ａ、２２ａ  貼着手段
【図１】
2007000559.tif 000003
【図２】
2007000559.tif 000004
【図３】
2007000559.tif 000005
【図４】
2007000559.tif 000006
【図５】
2007000559.tif 000007
【図６】
2007000559.tif 000008
【図７】
2007000559.tif 000009
【図８】
2007000559.tif 000010